(57)【要約】【課題】高音声検出装置の動作点検を確認する定期的な検査を自動で適確に精度良く行うことができ、現地での点検作業を省略できるエレベータ用高音声検査装置を提供する。【解決手段】この高音声検査装置７では、制御装置５を経由して得られる乗りかご１のかごドア２のドア開閉信号と荷重検出装置３からのかご内荷重信号とに基づいて点検可否判定手段７３が高音声検出装置４への動作点検実施の可を判定すると、大音量点検音出力指令手段７１が大音量点検音の出力設定、低音量点検音出力指令手段７２が低音量点検音の出力設定を点検音鳴動装置６の点検音出力手段６１に指令し、点検結果判定手段７４が乗りかご１内で異なる音圧レベルの双方で高音声検出装置４の信号出力手段４３により感知信号を出力するか否かで点検結果を判定する。点検結果通知手段７５は、感知信号が出力されない場合の点検結果を一般公衆回線８を介して管制センタ９に通知する。【選択図】図１
2016044070.tif 000002
【特許請求の範囲】
【請求項１】
乗りかご内で発生する高音声を検出する高音声検出装置での当該高音声の検出時に当該乗りかごを昇降路の各階床における最寄階に停止させて戸開状態にする防犯運転を実施する制御装置と協働して当該高音声検出装置の動作点検を確認して検査するエレベータ用高音声検査装置において、
前記制御装置を経由して得られる前記乗りかごのかごドアの開閉状態を示すドア開閉信号と当該乗りかご内の荷重を示すかご内荷重信号とに基づいて前記高音声検出装置の動作点検実施の可否を判定する点検可否判定手段と、前記点検可否判定手段での判定の結果が前記動作点検実施の可であるときに前記乗りかご内で点検音を鳴動させる点検音鳴動装置に対して所定の点検音の出力を指令する点検音出力指令手段と、を備え、
前記点検音出力指令手段は、前記点検音鳴動装置に備えられる点検音出力手段に対して前記所定の点検音の出力を音量変更させて設定する指令が可能な音量変更機能を持つことを特徴とするエレベータ用高音声検査装置。
【請求項２】
請求項１記載のエレベータ用高音声検査装置において、
前記点検音出力指令手段は、前記所定の点検音の出力として、大音量点検音の出力設定を前記点検音出力手段に対して指令する大音量点検音出力指令手段と、前記所定の点検音の出力として、低音量点検音の出力設定を前記点検音出力手段に対して指令する低音量点検音出力指令手段と、から成ることを特徴とするエレベータ用高音声検査装置。
【発明の詳細な説明】
【技術分野】
【０００１】
本発明は、乗りかご内で発生する高音声の検出時に乗りかごを最寄階に停止させて戸開状態にする防犯運転を実施する機能を持つエレベータにおける高音声検出装置の動作確認を検査するエレベータ用高音声検査装置に関する。
【背景技術】
【０００２】
従来、エレベータに適用される高音声検出装置は、乗りかご内で人間の発する悲鳴や叫び声、或いは呼び声や防犯ブザー音といった大音量を検出することを目的としている。具体的には８０〜１００ｄＢ程度の音圧レベルを検出した場合に高音声検出装置では感知信号を発生し、この感知信号をエレベータの監視装置が受信した場合には、制御装置に指示して最寄階に停止させて戸開状態にする防犯運転を実施させてから管制センタ（監視センタと呼ばれても良い）へ通報する防犯機能を持たせた技術が知られている。
【０００３】
係る周知技術として、例えば高音声検出装置の作動による最寄階停止状態を監視センターで監視しえる「防犯エレベータ」（特許文献１参照）が挙げられる。
【先行技術文献】
【特許文献】
【０００４】
【特許文献１】特開平１１−２１０４１号公報
【発明の概要】
【発明が解決しようとする課題】
【０００５】
上述した特許文献１記載の技術は、高音声検出装置の動作確認を定期的に行う必要があり、この動作確認には保守管理業者が現地での点検作業として、乗りかご内の所定の位置で点検用ブザーを鳴らしてエレベータ（乗りかご）についての防犯用の所定の動作が正常に行われているか否かを確認しているが、こうした直接的な手法では作業員による点検用ブザーを鳴らす位置の差異や外乱の影響で検出結果がまちまちになり易いため、エレベータ周囲の雑音等の外乱の少ない夜間に点検用ブザーを鳴らす位置に注意して実施する必要があることにより、多大な労力を要してしまうという問題がある。
【０００６】
本発明は、このような問題点を解決すべくなされたもので、その技術的課題は、高音声検出装置の動作点検を確認する定期的な検査を自動で適確に精度良く行うことができ、保守管理業者による現地での点検作業を省略できるエレベータ用高音声検査装置を提供することにある。
【課題を解決するための手段】
【０００７】
上記技術的課題を解決するため、本発明は、乗りかご内で発生する高音声を検出する高音声検出装置での当該高音声の検出時に当該乗りかごを昇降路の各階床における最寄階に停止させて戸開状態にする防犯運転を実施する制御装置と協働して当該高音声検出装置の動作点検を確認して検査するエレベータ用高音声検査装置において、制御装置を経由して得られる乗りかごのかごドアの開閉状態を示すドア開閉信号と当該乗りかご内の荷重を示すかご内荷重信号とに基づいて高音声検出装置の動作点検実施の可否を判定する点検可否判定手段と、点検可否判定手段での判定の結果が動作点検実施の可であるときに乗りかご内で点検音を鳴動させる点検音鳴動装置に対して所定の点検音の出力を指令する点検音出力指令手段と、を備え、点検音出力指令手段は、点検音鳴動装置に備えられる点検音出力手段に対して所定の点検音の出力を音量変更させて設定する指令が可能な音量変更機能を持つことを特徴とする。
【発明の効果】
【０００８】
本発明のエレベータ用高音声検査装置によれば、上記構成により、音声検出装置の動作点検を確認する定期的な検査を自動で適確に精度良く行うことができ、保守管理業者による現地での点検作業を省略できるようになる。上記した以外の課題、構成及び効果は、以下の実施の形態の説明により明らかにされる。
【図面の簡単な説明】
【０００９】
【図１】本発明の実施例に係るエレベータ用高音声検査装置及びその周辺装置を含むエレベータの自動動作点検機能付き防犯機能システムの全体的構成を示した概略ブロック図である。
【図２】図１に示す自動動作点検機能付き防犯機能システムに備えられる高音声検査装置による制御装置と協働しての自動動作点検の検査に係る動作処理を示したフローチャートである。
【発明を実施するための形態】
【００１０】
以下に、本発明のエレベータ用高音声検査装置について、実施例を挙げ、図面を参照して詳細に説明する。
【実施例】
【００１１】
図１は、本発明の実施例に係るエレベータ用高音声検査装置７及びその周辺装置を含むエレベータの自動動作点検機能付き防犯機能システムの全体的構成を示した概略ブロック図である。
【００１２】
図１を参照すれば、この自動動作点検機能付き防犯機能システムは、図示されない建物に設備されたエレベータの昇降路内で各階床間を昇降すると共に、かごドア２及び荷重検出装置３が設けられた乗りかご１の運転を制御する制御装置５（昇降路内に設置される）と、制御装置５と接続されて乗りかご１上に設置されると共に、乗りかご１内の高音声を検出する高音声検出装置４と、制御装置５と接続されて高音声検出装置４の動作点検を確認して検査を行う機能を持つ高音声検査装置７と、乗りかご１内に設置されると共に、高音声検出装置４から所定の距離（例えば５０〜６０ｃｍ程度の範囲）に設置されて高音声検査装置７から指令を受けて乗りかご１内で点検音を鳴動する点検音鳴動装置６と、遠隔地に設置されると共に、一般公衆回線８を介して高音声検査装置７と接続されると共に、高音声検査装置７による高音声検出装置４の動作点検の結果（検査結果）が通知される管制センタ９と、を備えて構成される。
【００１３】
このうち、利用者（乗客）が指定した階床へ移動するために乗り込む乗りかご１について、出入口側に付設されたかごドア２は、乗りかご１の出入口を開閉するもので、床面下に設置された荷重検出装置３は乗りかご１内の積載荷重を計測し、乗りかご１内の荷重を示すかご内荷重信号を出力する。高音声検出装置４は、乗りかご１内で人間の発する悲鳴や叫び声、或いは呼び声や防犯ブザー音といった音声を入力する音声入力手段４１と、入力した音声の音量が所定の音圧レベルの値（例えば９０ｄＢ）を超過したか否かを判定する音量判定手段４２と、入力した音声の音量が所定の音圧レベルを超過した場合に高音声を感知したことを示す感知信号を制御装置５へ出力する信号出力手段４３と、を備えて構成される。
【００１４】
また、制御装置５は、何れも略図するが、乗りかご１内で利用者が押下操作する行先釦や各階床の乗場階に設けられて利用者が押下操作する乗場釦の呼び登録の信号入力に応じて巻上機を回転制御し、乗りかご１を利用者が目的とする階床の乗場階へ走行させる。その他、制御装置５は、乗りかご１のかごドア２を開閉させるドア開閉釦の押下操作時のドア開閉信号や高音声検出装置４からの感知信号等が入力され、特に感知信号が入力されたときには乗りかご１を昇降路の各階床における最寄階に停止させ、かごドア２を一定時間開状態に維持する防犯運転を実施する機能を有している。
【００１５】
更に、高音声検査装置７は、制御装置５からの各種制御信号が入力され、例えば乗りかご１のかごドア２の開閉状態を示すドア開閉信号と乗りかご１内の荷重を示す荷重検出装置３からのかご内荷重信号とに基づいて高音声検出装置４の動作点検実施の可否を判定する点検可否判定手段７３と、点検可否判定手段７３での判定の結果が動作点検実施の可であるときに乗りかご１内で点検音を鳴動させる点検音鳴動装置６に備えられる点検音出力手段６１に対して所定の点検音の出力を音量変更させて設定する指令が可能な音量変更機能を持つ点検音出力指令手段を成す大音量点検音出力指令手段７１及び低音量点検音出力指令手段７２と、を備えている。ここでの大音量点検音出力指令手段７１は、所定の点検音の出力として、例えば防犯ブザーのような２．５ｋＨｚの単音で１１０ｄＢ程度の大音量点検音の出力設定を点検音鳴動装置６の点検音出力手段６１に対して指令する場合を例示できる。これに対し、低音量点検音出力指令手段７２は、所定の点検音の出力として、２．５ｋＨｚの単音で９０ｄＢ程度の低音量点検音の出力設定を点検音鳴動装置６の点検音出力手段６１に対して指令する場合を例示できる。その他、高音声検査装置７は、点検音鳴動装置６の点検音出力手段６１で大音量点検音出力指令手段７１や低音量点検音出力指令手段７２の指令により設定された音量で点検音を鳴動させたときの高音声検出装置４における感知信号を制御装置５経由で受信して点検結果を判定する点検結果判定手段７４と、点検結果判定手段７４による点検結果を一般公衆回線８を介して管制センタ９に通知する点検結果通知手段７５と、を備えている。
【００１６】
図２は、上述した自動動作点検機能付き防犯機能システムに備えられる高音声検査装置７による制御装置５と協働しての自動動作点検の検査に係る動作処理を示したフローチャートである。
【００１７】
図２を参照すれば、この自動動作点検の検査に係る動作処理では、最初に高音声検査装置７が前回の自動点検実施から一定期間（例えば１か月）以上経過しているか否かの判定（ステップＳ１）を行い、この判定の結果、一定期間以上経過していなければ短期間での再点検は不要であるとみなしてそのまま動作処理を終了するが、一定期間以上経過していれば引き続いて現在時刻が予め設定した自動点検指定時間帯であるか否かの判定（ステップＳ２）を行う。ここでの自動点検指定時間帯は、通常エレベータの周囲雑音の少ない平日の深夜等の時間帯に設定することが望ましい。この判定の結果、現在時刻が自動点検指定時間帯でなければ自動点検不可状況であるとみなしてそのまま動作処理を終了するが、現在時刻が自動点検指定時間帯であれば高音声検査装置７は荷重検出装置３からのかご内荷重信号に基づいて乗りかご１内が無人か否かをかご内荷重０であるか否かの判定（ステップＳ３）により行う。この判定の結果、かご内荷重０でなければ自動点検不適当な状況とみなして現在時刻が予め設定した自動点検指定時間帯であるか否かの判定（ステップＳ２）の前に戻ってその後の処理を繰り返すが、かご内荷重０であれば引き続いて制御装置５を経由して乗りかご１のかごドア２の開閉状態を示すドア開閉信号に基づいてドア閉状態であるか否かの判定（ステップＳ４）を行う。この判定の結果、ドア閉状態でなければ自動点検不適当な状況とみなして現在時刻が予め設定した自動点検指定時間帯であるか否かの判定（ステップＳ２）の前に戻ってその後の処理を繰り返すが、ドア閉状態であれば自動点検開始（ステップＳ５）の処理を実施する。
【００１８】
自動点検開始後、高音声検査装置７では、大音量点検音出力指令手段７１が１１０ｄＢ程度の大音量点検音の出力設定を点検音鳴動装置６の点検音出力手段６１に対して指令することで点検音鳴動装置６に大音量点検音出力指示（ステップＳ６）の処理を行う。これにより、点検音鳴動装置６の点検音出力手段６１からは１１０ｄＢ程度の大音量点検音が出力されるため、この後に高音声検査装置７では、点検結果判定手段７４が制御装置５を経由して高音声検出装置４の信号出力手段４３から大音量の高音声に対する感知信号が出力されているか否かにより、高音声検出装置出力有りか否かの判定（ステップＳ７）を行う。この判定の結果、高音声検出装置出力が無しであれば自動点検結果を『故障』と判定（ステップＳ８）して一般公衆回線８を介し管制センタ９に点検結果を通知（ステップＳ１３）した後に動作処理を終了するが、高音声検出装置出力が有れば引き続いて低音量点検音出力指令手段７２が９０ｄＢ程度の低音量点検音の出力設定を点検音鳴動装置６の点検音出力手段６１に対して指令することで点検音鳴動装置６に低音量点検音出力指示（ステップＳ９）の処理を行う。これにより、点検音鳴動装置６の点検音出力手段６１からは９０ｄＢ程度の低音量点検音が出力されるため、この後に高音声検査装置７では、点検結果判定手段７４が制御装置５を経由して高音声検出装置４の信号出力手段４３から低音量の高音声に対する感知信号が出力されているか否かにより、高音声検出装置出力有りか否かの判定（ステップＳ１０）を行う。この判定の結果、高音声検出装置出力が無しであれば自動点検結果を『感度調整要』と判定（ステップＳ１２）して一般公衆回線８を介し管制センタ９に点検結果を通知（ステップＳ１３）した後に動作処理を終了するが、高音声検出装置出力が有れば自動点検結果を『正常』と判定（ステップＳ１１）した後に動作処理を終了する。
【００１９】
このように、点検音の音圧レベルを複数パターンで実施すれば、通常動作する音圧レベルよりも大きい音でも高音声検出装置４が感知信号を出力しない場合には高音声検出装置４が完全に故障状態であり、通常動作する音圧レベルよりも大きい音では感知信号を出力するが、通常動作する音圧レベルでは高音声検出装置４が感知信号を出力しない場合には高音声検出装置４が感度調整要状態にあるとみなすことができ、高音声検出装置４の動作点検の確認を自動で適確に検査できるため、保守管理業者による点検調査時間を低減することができる。何れにせよ、自動点検結果が故障や感度調整要の場合には現地での修理対応が必要になるため、感知信号が出力されない場合には高音声検査装置７により一般公衆回線８を介して管制センタ９へ点検結果を通知する機能が持たされており、これによってエレベータの保守管理業者が対処する修理作業を迅速に実施することができる。
【００２０】
以上に説明した通り、実施例に係る高音声検査装置７によれば、制御装置５を経由して得られる乗りかご１のかごドア２のドア開閉信号と荷重検出装置３からのかご内荷重信号とに基づいて点検可否判定手段７３が高音声検出装置４への動作点検実施の可を判定すると、大音量点検音出力指令手段７１が大音量点検音の出力設定した後、低音量点検音出力指令手段７２が低音量点検音の出力設定を点検音鳴動装置６の点検音出力手段６１に指令し、点検結果判定手段７４が乗りかご１内で異なる音圧レベルの双方で高音声検出装置４の信号出力手段４３により感知信号を出力するか否かで点検結果を判定し、点検結果通知手段７５によって感知信号が出力されない場合の点検結果を一般公衆回線８を介して管制センタ９に通知するため、音声検出装置４の動作点検を外乱の少ない状況の時間帯で確認する定期的な検査を自動で適確に精度良く行うことができ、従来のような保守管理業者による現地での点検作業を省略できるようになる。
【００２１】
尚、上述した実施例に係る高音声検査装置７では、点検音鳴動装置６を用いて点検音を鳴動させることで自動点検を行う場合を説明したが、点検音鳴動装置６の代わりに乗りかご１内に標準装備されている図示されないインターホンを代用させて高音声検査装置７により制御するように構成しても同等な機能が得られるため、本発明のエレベータ用高音声検査装置は、実施例で開示した形態に限定されない。
【符号の説明】
【００２２】
１  乗りかご
２  かごドア
３  荷重検出装置
４  高音声検出装置
５  制御装置
６  点検音鳴動装置
７  高音声検査装置
８  一般公衆回線
９  管制センタ
４１  音声入力手段
４２  音量判定手段
４３  信号出力手段
６１  点検音出力手段
７１  大音量点検音出力指定手段
７２  低音量点検音出力指定手段
７３  点検可否判定手段
７４  点検結果判定手段
７５  点検結果通知手段
【図１】
2016044070.tif 000003
【図２】
2016044070.tif 000004